(57)【特許請求の範囲】
【請求項１】
スプレー本体（１０）の嘴管連結部（１５）に薬液管（１９）を連結するとともに、この薬液管（１９）にノズル霧先部（２４）を被せ、前記嘴管連結部（１５）の他端部に結合した薬液びん（１１）に圧搾空気を送り、かつ前記ノズル霧先部（２４）と薬液管（１９）の間の隙間部分へ圧搾空気を送り込み、この圧搾空気によって薬液管（１９）の先端から薬液（１７）を噴霧する医用スプレー装置において、前記嘴管連結部（１５）の先端部に螺合される嘴管基部（２６）に霧先係合部（２７）を嵌合し、この霧先係合部（２７）の先端の外周に係止突部（２８）を一体に形成し、前記ノズル霧先部（２４）は、全体を可撓性材料で形成し、先端側に噴霧口（２０）を設け、かつ、基端側に嵌合端部（３５）を設けてなり、このノズル霧先部（２４）の前記噴霧口（２０）の内側に薬液管（１９）の先端に設けられた空気取り込み溝（３６）部分を密着嵌合させつつ、前記嵌合端部（３５）に対して前記係止突部（２８）を圧入させることで、ノズル霧先部（２４）を着脱自在に被せてなることを特徴とする医用スプレー装置。
【請求項２】
スプレー本体（１０）の嘴管連結部（１５）に薬液管（１９）を連結するとともに、この薬液管（１９）にノズル霧先部（２４）を被せ、前記嘴管連結部（１５）の他端部に結合した薬液びん（１１）に圧搾空気を送り、かつ前記ノズル霧先部（２４）と薬液管（１９）の間の隙間部分へ圧搾空気を送り込み、この圧搾空気によって薬液管（１９）の先端から薬液（１７）を噴霧する医用スプレー装置において、前記嘴管連結部（１５）の内側に、薬液管差し込み孔（３２）、薬液チューブ連結部（３３）、空気孔（３４）を形成した支持円板（３７）を固定的に取り付け、薬液チューブ連結部（３３）に薬液びん（１１）の薬液チューブ（１６）の端部を連結し、前記嘴管連結部（１５）の先端部に螺合される嘴管基部（２６）に霧先係合部（２７）を嵌合し、この霧先係合部（２７）の先端の外周に係止突部（２８）を一体に形成し、前記薬液管（１９）の基端部外周の差し込み環（３０）を嘴管基部（２６）の内周面にＯリング（２２）を介在して気密に嵌合し、前記嘴管基部（２６）を嘴管連結部（１５）にねじ込み、薬液管（１９）の基端部を前記支持円板（３７）の薬液管差し込み孔（３２）に挿入して薬液チューブ（１６）と連通してなり、前記ノズル霧先部（２４）は、全体を可撓性材料で形成し、先端側に噴霧口（２０）を設け、かつ、基端側に嵌合端部（３５）を設けてなり、このノズル霧先部（２４）の前記噴霧口（２０）の内側に薬液管（１９）の先端に設けられた空気取り込み溝（３６）部分を密着嵌合させつつ、前記嵌合端部（３５）に対して前記係止突部（２８）を圧入させることで、ノズル霧先部（２４）を着脱自在に被せてなることを特徴とする医用スプレー装置。
【請求項３】
スプレー本体（１０）の嘴管連結部（１５）に薬液管（１９）を連結するとともに、この薬液管（１９）にノズル霧先部（２４）を被せ、前記嘴管連結部（１５）の他端部に結合した薬液びん（１１）に圧搾空気を送り、かつ前記ノズル霧先部（２４）と薬液管（１９）の間の隙間部分へ圧搾空気を送り込み、この圧搾空気によって薬液管（１９）の先端から薬液（１７）を噴霧する医用スプレー装置において、前記嘴管連結部（１５）の内側に、薬液管差し込み孔（３２）、薬液チューブ連結部（３３）、空気孔（３４）を形成した支持円板（３７）を固定的に取り付け、薬液チューブ連結部（３３）に薬液びん（１１）の薬液チューブ（１６）の端部を連結し、前記嘴管連結部（１５）の先端部に前記薬液管（１９）の基端部外周の差し込み環（３０）を嘴管連結部（１５）の内周面にＯリング（２２）を介在して気密に嵌合し、この差し込み環（３０）または嘴管連結部（１５）の先端の外周に係止突部（２８）を一体に形成し、前記薬液管（１９）の基端部を前記支持円板（３７）の薬液管差し込み孔（３２）に挿入して薬液チューブ（１６）と連通してなり、前記ノズル霧先部（２４）は、全体を可撓性材料で形成し、先端側に噴霧口（２０）を設け、かつ、基端側に嵌合端部（３５）を設けてなり、このノズル霧先部（２４）の前記噴霧口（２０）の内側に薬液管（１９）の先端に設けられた空気取り込み溝（３６）部分を密着嵌合させつつ、前記嵌合端部（３５）に対して前記係止突部（２８）を圧入させることで、ノズル霧先部（２４）を着脱自在に被せてなることを特徴とする医用スプレー装置。
【請求項４】
ノズル霧先部（２４）は、全体が透明又は半透明の可撓性を有するプラスチックによって成型してなることを特徴とする請求項１、２又は３記載の医用スプレー装置。
【発明の詳細な説明】
【０００１】
【発明の属する技術分野】
本発明は、薬液や消毒液などを患部に噴霧するときに使用され、主として、耳、鼻、咽喉に用いられる医用スプレー装置に関するものである。
【０００２】
【従来の技術】
従来、この種の医用スプレー装置は、図５及び図６に示すように、グリップ兼用の薬液びん１１を片手で握り、嘴管１８の先端を耳、鼻、咽喉などに差し込み、噴霧口２０を患部に臨ませ、親指で押釦１３を押すと、バルブ１２が開いて、エアチューブ１４から薬液びん１１と嘴管１８へ圧搾空気が送り込まれ、薬液びん１１内では、薬液１７が薬液チューブ１６を通って薬液管１９へ送られ、この薬液管１９の先端部では、嘴管１８からの空気によって薬液１７が霧状になって噴霧口２０から噴霧するものである。
【０００３】
図５及び図６に示すような嘴管１８の直線状のものは、耳、鼻などの患部に噴霧する場合に使用され、咽喉の場合には、図７に示すように嘴管１８がやや長く、先端部近くをくの字に折れ曲げたものが使用される。なお、図７において、金属製の薬液管１９は、折れ曲がった嘴管１８の内部に差し込めないので、２本の薬液管１９を可撓性連結チューブ２３で連結している。
【０００４】
【発明が解決しようとする課題】
従来の医用スプレー装置における嘴管１８部分は、薬液や煮沸による消毒のため、ステンレススチールのようなさびつかず、生体に悪影響を与えない金属で構成されている場合が多く、また、この嘴管１８は、スプレー本体１０の嘴管連結部１５部分に固定的に取り付けられているか、図６に示すように、基端部のねじ部２１で嘴管連結部１５に着脱自在に構成されている。そして、使用後は、スプレー本体１０毎消毒するか、嘴管１８部分を外し、Ｏリング２２で密着していた薬液管１９を抜き取り、嘴管１８の噴霧口２０内部の目詰まりを掃除し、患部に接触する嘴管１８の消毒をする。
【０００５】
このような医用スプレー装置の嘴管１８部分は、金属製であったため、極めて高価なものになること、嘴管１８部分が固定式では、噴霧口２０の目詰まりの掃除が不十分になるおそれがあること、嘴管１８部分がねじ部２１による着脱では、着脱操作に時間がかかること、また、図７のように、嘴管１８が折れ曲がっている場合には、薬液管１９の差し込みのために途中を可撓性連結チューブ２３で連結する必要があり、部品点数が増えるばかりか、嘴管１８へ薬液管１９を差し込むのに熟練を要することなどの問題があった。
【０００６】
また、現在、病院などにおいて一般患者の患部に薬液や消毒液を噴霧する場合、嘴管１８を交換せずに使用する場合が多く、特に、耳鼻咽喉科の分野では、鼻、咽喉の奥部に薬液を噴霧する治療が必要なため、感染症発生が今後大きな問題となることが考えられる。
【０００７】
本発明は、安価で、目詰まりなどの掃除が十分に行なえ、着脱操作が簡単で、感染症発生のおそれのないものを提供することを目的とするものである。
【０００８】
【課題を解決するための手段】
スプレー本体１０の嘴管連結部１５に薬液管１９を連結するとともに、この薬液管１９にノズル霧先部２４を被せ、前記嘴管連結部１５の他端部に結合した薬液びん１１と前記ノズル霧先部２４へ圧搾空気を送り込み、薬液管１９の噴霧口２０から薬液１７を噴霧する医用スプレー装置において、前記ノズル霧先部２４は、可撓性を有するプラスチックからなる使い捨てタイプとし、薬液管１９を嘴管連結部１５に連結したまま着脱自在に被せてなることを特徴とする医用スプレー装置である。
【０００９】
このように構成された医用スプレー装置は、患者毎に、または、患部毎にノズル霧先部２４を新たなものに取り替えて薬液や消毒液が噴霧され、使用後は、廃棄される。しかし、必要に応じて消毒後に再使用することもできる。
【００１０】
【発明の実施の形態】
本発明の実施例を図面に基づき説明する。
第１実施例
図１において、２４は、スプレー本体１０の先端の薬液管１９をカバーするノズル霧先部で、このノズル霧先部２４は、本発明では捨てタイプとしたもので、それ以外のスプレー本体１０、薬液びん１１、バルブ１２、押釦１３、エアチューブ１４などは、図５に示した従来例の構造をそのまま利用することができる。さらに詳しく説明すると、スプレー本体１０の嘴管連結部１５の開口部のやや内側に、薬液管差し込み孔３２、薬液チューブ連結部３３、空気孔３４を形成した支持円板３７を固定的に取り付け、薬液チューブ連結部３３には、薬液びん１１の薬液チューブ１６の端部が連結される。
【００１１】
また、前記嘴管連結部１５の先端部に螺合される嘴管基部２６には、霧先係合部２７がコイルばね２９を介して進退自在に嵌合され、この霧先係合部２７の先端の外周には、係止突部２８が一体に形成されている。この嘴管基部２６は、前記薬液管１９の基端部外周の空気孔３１を有する差し込み環３０をＯリング２２を介在して内周面に気密に嵌合した後、嘴管基部２６を嘴管連結部１５にねじ部２１でねじ込むと、薬液管１９の基端部が前記支持円板３７の薬液管差し込み孔３２に挿入されて薬液チューブ１６と連通する。このとき、前記薬液管１９の基端部は、コイルばね２９によって薬液管差し込み孔３２に圧接されて確実に嵌合する。
【００１２】
以上のように構成された薬液管１９をスプレー本体１０に連結した後、ノズル霧先部２４を薬液管１９の先端部から被せ、嵌合端部３５が霧先係合部２７の係止突部２８に圧入されるまで差し込む。このとき、薬液管１９の先端部の空気取り込み溝３６が噴霧口２０に嵌合される。
前記ノズル霧先部２４は、直径が３〜４ｍｍ程度で、耳、鼻、咽喉などの患部までやや屈折していてもスムーズに挿入できる程度の可撓性を有し、かつ、患部に接触しても皮膚がかぶれたり、傷が生じたりせず、しかも、薬液管１９の外周に空気の通り道を十分確保するような材料、たとえば、プラスチックスの成型品とする。また、このノズル霧先部２４は、透明または半透明の材料を用いることによって、噴霧口２０付近での目詰まりやノズル霧先部２４内にごみが存在しないかどうかが観察できる。
【００１３】
このように構成された医用スプレー装置は、患者毎に、または、患部毎にノズル霧先部２４を新たなものに取り替えて薬液や消毒液が噴霧され、使用後は、廃棄される。しかし、必要に応じて消毒後に再使用することもできる。
【００１４】
第２実施例
図２において、図１の嘴管基部２６を省略し、薬液管１９の基端部外周の差し込み環３０をＯリング２２を介在して嘴管連結部１５の内周面に気密に圧入し、この嘴管基部２６の先端の外周に、係止突部２８を一体に形成し、ノズル霧先部２４を薬液管１９の先端部から被せ、嵌合端部３５が嘴管基部２６の係止突部２８に圧入されるまで差し込むようにしたものである。
【００１５】
第３実施例
図３において、薬液管１９の基端部外周の差し込み環３０をＯリング２２を介在して嘴管連結部１５の内周面に気密に圧入し、嘴管連結部１５の先端の外周に、係止突部２８を一体に形成し、ノズル霧先部２４を薬液管１９の先端部から被せ、嵌合端部３５が嘴管連結部１５の係止突部２８に圧入されるまで差し込むようにしたものである。
【００１６】
第４実施例
図４において、薬液管１９は、先端部近くをくの字に折れ曲げた咽喉用で、このような薬液管１９に、ノズル霧先部２４が被せられるが、ノズル霧先部２４が直線的に構成されたものであっても、可撓性を有する材料からなる場合には、薬液管１９の曲がりに添って容易に曲がって被せられる。
【００１７】
図１、２、３及び４において、薬液管１９と差し込み環３０は、金属製であってもよいし、ノズル霧先部２４と同等のプラスチックであってもよい。また、薬液管１９は、円筒形のチューブに限られるものではなく、３角、４角などの各筒状であってもよい。特に、３角筒状とすることにより、ノズル霧先部２４の内側に空気の通る隙間ができるので、薬液管１９の先端に空気取り込み溝３６を形成する必要がない。さらに、薬液管１９は、ノズル霧先部２４とともに、透明または半透明の材料を用いることによって、噴霧口２０付近での目詰まりやノズル霧先部２４内にごみが存在しないかどうかが観察できる。
【００１８】
【発明の効果】
本発明によるノズル霧先部２４は、薬液管１９を嘴管連結部１５に連結したまま着脱自在に被せるように構成したので、安価に構成できるとともに、目詰まりなどの掃除が十分に行なえるものを提供できる。
【００１９】
また、ノズル霧先部２４は、可撓性を有するプラスチックからなり、使い捨てタイプとしたので、耳、鼻用の直線的なものだけでなく、咽喉用のくの字に折れ曲がった薬液管１９に被せるものでも簡単に構成でき、かつ、被せるための操作が簡単である。
【００２０】
また、現在、病院などにおいて一般患者の患部に薬液や消毒液を噴霧する場合、ノズル霧先部２４を交換して使用でき、特に、耳鼻咽喉科の分野でおける、鼻、咽喉の奥部に薬液を噴霧する治療における感染症発生を未然に防止できる。
【図面の簡単な説明】
【図１】本発明の第１実施例を示す要部の断面図である。
【図２】本発明の第２実施例を示す要部の断面図である。
【図３】本発明の第３実施例を示す要部の断面図である。
【図４】本発明の第４実施例を示す要部の正面図である。
【図５】従来の医用スプレー装置の正面図である。
【図６】従来の医用スプレー装置の一部を切り欠いた要部の断面図である。
【図７】従来の咽喉用医用スプレー装置の一部を切り欠いた要部の断面図である。
【符号の説明】
１０…スプレー本体、１１…薬液びん、１２…バルブ、１３…押釦、１４…エアチューブ、１５…嘴管連結部、１６…薬液チューブ、１７…薬液、１８…嘴管、１９…薬液管、２０…噴霧口、２１…ねじ部、２２…Ｏリング、２３…可撓性連結チューブ、２４…ノズル霧先部、２６…嘴管基部、２７…霧先係合部、２８…係止突部、２９…コイルばね、３０…差し込み環、３１…空気孔、３２…薬液管差し込み孔、３３…薬液チューブ連結部、３４…空気孔、３５…嵌合端部、３６…空気取り込み溝、３７…支持円板。
【図１】
0004033533.tif 000002
【図２】
0004033533.tif 000003
【図３】
0004033533.tif 000004
【図４】
0004033533.tif 000005
【図５】
0004033533.tif 000006
【図６】
0004033533.tif 000007
【図７】
0004033533.tif 000008